(57)【要約】【課題】再起動時、使用者に不信感を与えず、かつ目標風量への到達時間を短縮した浴室換気乾燥装置を提供する。【解決手段】浴室の空気を循環通風させる循環ファンモータ１３と、循環通風させる空気を加熱する加熱手段１４と、換気ファンモータ１の回転数を検出する回転数検出手段４と、換気ファンモータ１の運転風量を指示する風量指示手段７と、指示された風量で運転するために換気ファンモータ１に通電する指示電圧を記憶する記憶手段６とを備え、回転数検出手段４が検出した回転数をもとに、換気ファンモータ１の排気風量が風量指示手段７で支持された設定風量になるまで前記指示電圧を変動させ、前記換気ファンモータ１の再起動時に、前回運転したときに記憶手段６が記憶した指示電圧を換気ファンモータに通電する構成とする。【選択図】図１ 
2005140473.tif 000002
【特許請求の範囲】
【請求項１】
浴室の空気を循環通風させる循環ファンモータと、循環通風させる空気を加熱する加熱手段と、前記浴室の空気を屋外へ排気する換気ファンモータと、前記換気ファンモータへの通電を制御する制御手段と、前記換気ファンモータの回転数を検出する回転数検出手段と、前記換気ファンモータの運転風量を指示する風量指示手段と、この風量指示手段で指示された風量で運転するために前記制御手段が前記換気ファンモータに通電する指示電圧を記憶する記憶手段とを備え、前記回転数検出手段が検出した回転数をもとに、前記換気ファンモータの排気風量が前記風量指示手段で支持された設定風量になるまで前記指示電圧を変動させる浴室換気乾燥装置であって、前記換気ファンモータの再起動時に、前回運転したときに前記記憶手段が記憶した指示電圧を前記換気ファンモータに通電することを特徴とする浴室換気乾燥装置。
【請求項２】
浴室の空気を循環通風させる循環ファンモータと、循環通風させる空気を加熱する加熱手段と、前記浴室の空気を屋外へ排気する換気ファンモータと、前記換気ファンモータへの通電を制御する制御手段と、前記換気ファンモータの回転数を検出する回転数検出手段と、複数の設定風量モードを有して前記換気ファンモータの運転風量を指示する風量指示手段と、この風量指示手段で指示された風量で運転するために前記制御手段が前記換気ファンモータに通電する指示電圧を記憶する記憶手段とを備え、前記回転数検出手段が検出した回転数をもとに、前記換気ファンモータの排気風量が前記風量指示手段で支持された設定風量になるまで前記指示電圧を変動させる浴室換気乾燥装置であって、前記換気ファンモータの再起動時に前記風量指示手段により指定した設定風量と同じ設定風量で前回運転したときに前記記憶手段が記憶した指示電圧を前記換気ファンモータに通電することを特徴とする浴室換気乾燥装置。
【請求項３】
換気ファンモータの再起動時に、前回運転したときに前記記憶手段が記憶した指示電圧から所定の電圧値を差し引いた指示電圧を前記換気ファンモータに通電することを特徴とした請求項１または２記載の浴室換気乾燥装置。
【発明の詳細な説明】
【技術分野】
【０００１】
本発明は、風量一定制御機能を有する浴室換気乾燥装置に関する。
【背景技術】
【０００２】
従来の浴室換気乾燥装置は、一般的に、換気、循環のそれぞれの流路内に換気用と循環用とに独立した２つのファンを有し、それぞれが専用のモータによって回転され、循環流路内には加熱手段が設けられ、加熱手段、循環ファンおよび換気ファンの作動を制御することによって、各種の運転（例えば、暖房、乾燥および換気）を行うことができる。
【０００３】
暖房運転では加熱手段および循環用モータが起動されて循環ファンが回転し、浴室内の空気が循環されるとともに加熱手段の作用によって浴室内の温度が上昇し、換気運転では換気用モータだけが起動され、換気ファンが回転され浴室内の空気が換気流路内を通り、外部に排出され、乾燥運転では加熱手段、循環モーターおよび換気モーターが起動し、加熱手段で浴室内の空気を加熱して循環ファンにより循環させながら、換気ファンにより浴室内の空気を外部へ排出し、涼風運転では前記乾燥運転において加熱手段を起動させないという各種の運転モードである。
【０００４】
さらに、従来の浴室換気乾燥装置には、浴室内の空気を外部に排出するための流路である排気ダクトの長さや、その他の外的要因によって排気圧損が変化した場合でも設定した換気風量を長く確保することを目的として、浴室換気乾燥装置の換気用ファンモータにおいて風量一定制御を行っているものが知られている（例えば、特許文献１参照）。
【０００５】
以下、この風量一定制御を行う浴室換気乾燥装置について図６を参照して説明する。
【０００６】
図６は、浴室換気乾燥装置のうちの換気ユニットの制御に係る部分のみ示したものであり、換気ユニット１１１内の換気ファンモータ１０１は、ＤＣモータ１０２により駆動され、その吐出口１０８はダクト１０９を介して壁１１０の開口に連通し、換気ファンモータ１０１によって吸い込まれた湿気を含んだ空気やトイレのにおいによって汚染された室内空気を屋外に排気するものである。
【０００７】
換気ユニット１１１の運転モードとして換気運転、または時間換気運転を選択すると、換気ファンモータ１０１への電圧を制御する電圧制御手段１０３の動作によりあらかじめ記憶された一定の起動電圧がＤＣモータ１０２へ印加される。その後、換気ファンモータ１０１の回転数を検出する回転数検出手段１０４が換気ファンモータ１０２の回転数を検出する。そして換気ファンモータ１０２の回転数が記憶手段１０６に記憶させた風量指示手段１０７によって指示された風量で運転するための回転数になるように、電圧制御手段１０５がＤＣモータ１０２への印加電圧を調整していた。
【特許文献１】特開平５−１４６１８９号公報
【発明の開示】
【発明が解決しようとする課題】
【０００８】
このような従来の浴室換気乾燥装置では、設置している場所の条件によって排気圧損が異なる場合、換気ファンの運転を行う都度、設定風量まで電圧を変動させ風量を調節していく必要があるので、目標風量に到達するまでに時間がかかっていた。これは換気ファンの運転開始時に一時的に騒音が大きくなったり、または、風量が少なくなったりするということにもなり、使用者に不信感を与えるという課題があった。
【０００９】
また、設置している場所の条件によっては、ある一定の換気ファンの回転数において、排気ダクトとファンモータが共鳴する音等が発生する場合があり、従来の浴室換気乾燥装置では換気ファンの運転を行う都度、設定風量まで電圧を変動させ風量を調節していくため、目標風量に到達する前に換気ファンモータのある回転数の範囲でのみ共鳴音等が発生し、使用者に不信感を与えるという課題があった。
【００１０】
また、設定風量の小さい換気弱運転から設定風量の大きい換気強運転へ運転モードの切り替えを行った場合、運転切り替え後一時的に換気弱運転よりも少ない排気風量で運転してしまったり、同様に設定風量の大きい換気強運転から設定風量の小さい換気強運転へ運転モードの切り替えを行った場合、運転切り替え後一時的に換気強運転よりも多い排気風量で運転してしまうことがあり、使用者に不信感を与えるいう課題があった。
【００１１】
本発明は、このような従来の課題を解決するものであり、換気ファンの運転開始時に目標風量付近の回転数で換気ファンを起動させることにより使用者に不信感を与えず、かつ目標風量への到達時間を短縮した浴室換気乾燥装置を提供することを目的としている。
【課題を解決するための手段】
【００１２】
本発明の浴室換気乾燥装置は上記目的を達成するために、浴室の空気を循環通風させる循環ファンモータと、循環通風させる空気を加熱する加熱手段と、前記浴室の空気を屋外へ排気する換気ファンモータと、前記換気ファンモータへの通電を制御する制御手段と、前記換気ファンモータの回転数を検出する回転数検出手段と、前記換気ファンモータの運転風量を指示する風量指示手段と、この風量指示手段で指示された風量で運転するために前記制御手段が前記換気ファンモータに通電する指示電圧を記憶する記憶手段とを備え、前記回転数検出手段が検出した回転数をもとに、前記換気ファンモータの排気風量が前記風量指示手段で支持された設定風量になるまで前記指示電圧を変動させる浴室換気乾燥装置であって、前記換気ファンモータの再起動時に、前回運転したときに前記記憶手段が記憶した指示電圧を前記換気ファンモータに通電することを特徴としたものである。
【００１３】
また、他の手段は、浴室の空気を循環通風させる循環ファンモータと、循環通風させる空気を加熱する加熱手段と、前記浴室の空気を屋外へ排気する換気ファンモータと、前記換気ファンモータへの通電を制御する制御手段と、前記換気ファンモータの回転数を検出する回転数検出手段と、複数の設定風量モードを有して前記換気ファンモータの運転風量を指示する風量指示手段と、この風量指示手段で指示された風量で運転するために前記制御手段が前記換気ファンモータに通電する指示電圧を記憶する記憶手段とを備え、前記回転数検出手段が検出した回転数をもとに、前記換気ファンモータの排気風量が前記風量指示手段で支持された設定風量になるまで前記指示電圧を変動させる浴室換気乾燥装置であって、前記換気ファンモータの再起動時に前記風量指示手段により指定した設定風量と同じ設定風量で前回運転したときに前記記憶手段が記憶した指示電圧を前記換気ファンモータに通電することを特徴としたものである。
【００１４】
また、他の手段は、換気ファンモータの再起動時に、前回運転したときに前記記憶手段が記憶した指示電圧から所定の電圧値を差し引いた指示電圧を前記換気ファンモータに通電することを特徴としたものである。
【００１５】
上記それぞれの手段により、換気ファンの起動と同時に前回運転時とほぼ同等の排気風量を確保できるので、使用者の不信感をなくし、かつ目標風量への到達時間を短縮できる浴室換気乾燥装置が得られる。
【発明の効果】
【００１６】
本発明によれば、換気ファンの運転開始時に目標風量付近の回転数で確実に運転することができ、前回運転時とほぼ同等の換気風量を確保できる浴室換気乾燥装置を提供できる。
【００１７】
また、運転開始時に所望の換気風量から大きく離れた換気風量で運転してしまうすることを防止できる浴室換気乾燥装置が得られる。
【００１８】
また、前回の記憶時に、外風圧等の影響で誤った指示電圧が記憶された場合でも、再起動時の騒音が大きくなるという使用者への不信感を防止することのできる浴室換気乾燥装置が得られる。
【発明を実施するための最良の形態】
【００１９】
本発明の請求項１記載の発明は、浴室の空気を循環通風させる循環ファンモータと、循環通風させる空気を加熱する加熱手段と、前記浴室の空気を屋外へ排気する換気ファンモータと、前記換気ファンモータへの通電を制御する制御手段と、前記換気ファンモータの回転数を検出する回転数検出手段と、前記換気ファンモータの運転風量を指示する風量指示手段と、この風量指示手段で指示された風量で運転するために前記制御手段が前記換気ファンモータに通電する指示電圧を記憶する記憶手段とを備え、前記回転数検出手段が検出した回転数をもとに、前記換気ファンモータの排気風量が前記風量指示手段で支持された設定風量になるまで前記指示電圧を変動させる浴室換気乾燥装置であって、前記換気ファンモータの再起動時に、前回運転したときに前記記憶手段が記憶した指示電圧を前記換気ファンモータに通電することを特徴とする浴室換気乾燥装置により、換気ファンモータの再起動時、前回の指示電圧で起動することで、前回運転時とほぼ同等の排気風量を換気ファン起動と同時に確保できるという作用を有する。
【００２０】
本発明の請求項２記載の発明は、浴室の空気を循環通風させる循環ファンモータと、循環通風させる空気を加熱する加熱手段と、前記浴室の空気を屋外へ排気する換気ファンモータと、前記換気ファンモータへの通電を制御する制御手段と、前記換気ファンモータの回転数を検出する回転数検出手段と、複数の設定風量モードを有して前記換気ファンモータの運転風量を指示する風量指示手段と、この風量指示手段で指示された風量で運転するために前記制御手段が前記換気ファンモータに通電する指示電圧を記憶する記憶手段とを備え、前記回転数検出手段が検出した回転数をもとに、前記換気ファンモータの排気風量が前記風量指示手段で支持された設定風量になるまで前記指示電圧を変動させる浴室換気乾燥装置であって、前記換気ファンモータの再起動時に前記風量指示手段により指定した設定風量と同じ設定風量で前回運転したときに前記記憶手段が記憶した指示電圧を前記換気ファンモータに通電することを特徴とする浴室換気乾燥装置により、再起動時の運転風量が前回運転時の風量より大風量であるときには、起動時に所望の風量より小風量で運転されることになったり、再起動時の運転風量が前回運転時の風量より小風量であるときには、起動時に所望の風量より大風量で運転されることになったりするという不具合を防止できるという作用を有する。
【００２１】
本発明の請求項３記載の発明は、請求項１または２記載の浴室換気乾燥装置において、前記換気ファンモータの再起動時に、前回運転したときに前記記憶手段が記憶した指示電圧から所定の電圧値を差し引いた指示電圧を前記換気ファンモータに通電することを特徴とした浴室換気乾燥装置により、前回運転の際の記憶手段による指示電圧の記憶時に、外風圧等の影響で誤った指示電圧が記憶された場合でも、これを補正して再起動時の騒音が大きくなるという使用者への不信感を防止することのできる浴室換気乾燥装置が得られる。
【００２２】
以下、本発明の実施の形態について図１〜図５を参照しながら説明する。
【００２３】
（実施の形態１）
図１は本発明の実施の形態１における浴室換気乾燥装置の全体構成を示す概略図である。図２は浴室換気乾燥装置の換気モード運転の制御を示すフローチャートである。
【００２４】
図１に示すように、浴室換気乾燥装置本体１２は内部に循環ファンモータ１３、加熱手段１４、およびそれらの制御部１５が収納されている。
【００２５】
浴室換気乾燥装置本体１２の側壁には加熱手段１４の下流側に連通口２１が形成され、換気ユニット１１に連結されている。換気ユニット１１には、内部に換気ファンモータ１が配置され、換気ファンモータ１の吸込口と連通する２つの吸込口１７、１８が設けられており、各々ダクト（図示せず）によりトイレ、脱衣室など最寄りの換気対象室の換気口に連結されている。一方、吹出口８はダクト９により壁体１０に設けられた屋外排気口に連結され、屋外と連通している。
【００２６】
換気ユニット１１の吹出口８が形成された側壁と吸込口１７、１８が形成された側壁にまたがる第３の側壁には１つの吸込口が形成され、この吸込口は浴室換気乾燥装置本体１２の連通口２１に連通しており、浴室内の湿った空気は連通口２１から換気ユニット１１の第３の側壁の吸込口を介して換気ユニット１１に供給される。すなわち、浴室換気乾燥装置本体１２の連通口２１は換気ユニット１１の浴室側吸込口として機能する。また、換気ファンモータ１はＤＣモータ２を搭載した換気ファンモータである。
【００２７】
換気ユニット１１の換気ファンモータ１が運転すると、トイレ、脱衣室などの換気対象室の換気口から室内の空気が吸い込まれ、吸込口１７、１８を通って換気ファンモータ１の吸込口に吸い込まれ、ファンの遠心方向の吹出口８からダクト９内に吹き出されて屋外に排出される。このとき連通口２１から吸い込まれた湿った空気もトイレ、脱衣室の空気とともに屋外に排出される場合もある。
【００２８】
図２を用いて実施の形態１の浴室暖房乾燥装置における制御動作を説明する。
【００２９】
浴室換気乾燥装置本体１２に電源投入後（ＳＴＥＰ１）、リモコンにて換気モードスイッチを押すと（ＳＴＥＰ２）、換気モータ動作残時間タイマーＴｋのカウントがスタートする（ＳＴＥＰ３）。ここで、今回の換気モードスイッチのＯＮが換気モードの再運転指令でない場合は、ＤＣモータ２にマイコンが記憶している起動指示電圧Ｘ１を指示電圧Ｖ０として印加され（ＳＴＥＰ５）、換気ファンモータ１が回転を始める（ＳＴＥＰ６）。換気ファンモータ１が回転することで吸込口１７、１８、連通口２１から換気ユニット１１に吸い込まれた空気は、ダクト９、建物の壁体１０を通過し室外へ排出する。換気ファンモータ１が起動後、風量指示手段７により換気モードの設定風量Ｑ１（例えば１８０ｍ3／ｈ）の指示を行い（ＳＴＥＰ７）、制御手段３により風量一定制御を行う（ＳＴＥＰ８）。風量一定制御は、回転数検出手段４によるＤＣモータ２の回転数情報をもとに、室外への排気風量が設定風量であるＱ１に到達するまで、指示電圧Ｖを変動させるものである（ＳＴＥＰ９）。室外への排気風量＝設定風量となると、その時点の指示電圧Ｖ１を換気モード再起動時の起動指示電圧Ｘ２として記憶手段６に記憶する（ＳＴＥＰ１０）。外風圧等の排気圧損の変動により風量が変化し指示電圧Ｖが変動した場合は、再度室外への排気風量＝設定風量になった時点の指示電圧Ｖ１’を換気モード再起動時の起動指示電圧Ｘ２として記憶手段６にさらに記憶することになる。
【００３０】
換気モードには残時間タイマーＴｋが搭載されており、タイマーがタイムアップするか（ＳＴＥＰ１１）、リモコンにて停止スイッチを押す（ＳＴＥＰ１２）と、換気ファンモータ１が停止する（ＳＴＥＰ１３）。換気ファンモータ１の停止後、再度リモコンにて換気モードスイッチを押すと（ＳＴＥＰ１４、ＳＴＥＰ２）、ＤＣモータ２に前回運転時に記憶手段６へ記憶した起動指示電圧Ｘ２を指示電圧Ｖ０として印加され（ＳＴＥＰ１５）、換気ファンを起動する（ＳＴＥＰ６）。
【００３１】
このように、換気ファンモータ１の再起動時に、前回運転したときに記憶手段６が記憶した指示電圧を換気ファンモータ１に通電するので、どのような排気圧損の設置条件でも２度目の換気モード運転からは、前回の設定風量を充足する起動指示電圧Ｘ２が印加されるので、換気ファンモータ１は起動時にほぼ設定風量の排気風量で運転できることになる。
【００３２】
（実施の形態２）
次に、本発明に従う浴室換気乾燥装置の実施の形態２について説明する。図３は、実施の形態２における浴室換気乾燥装置の制御を表すブロック図である。図４は実施の形態２における浴室換気乾燥装置の制御動作を示すフローチャートである。なお、実施の形態２の浴室換気乾燥装置の主要な構成要素は、図１に示すように実施の形態１と同様であり、制御動作を除く図１に示すものと同様な部分についてはその説明を省略する。
【００３３】
図３および図４を用いて実施の形態２の浴室換気乾燥装置における制御動作のフローを説明する。
【００３４】
浴室換気乾燥装置本体１２に電源投入後（ＳＴＥＰ１）、リモコンにて換気強モード５０、換気弱モード５１、乾燥モード５２、涼風モード５４、２４時間換気標準モード５５、または２４時間換気弱モード５６のいずれかのスイッチを押すと（ＳＴＥＰ２）、換気モータ動作残時間タイマーＴｋのカウントがスタートする（ＳＴＥＰ３）。リモコンにより指定した運転モードにはそれぞれ目標とする設定風量があり（例えば、図３のＡ１、Ｂ１、Ｃ１）、設定風量ごとに起動電圧を記憶している（例えば、図３のＡ２、Ｂ２、Ｃ２）。ここで、今回のスイッチのＯＮが再運転指令でない場合は、指定した運転モードの設定風量に基づき、起動電圧（例えば図３のＡ２）を指示電圧Ｖ０としてＤＣモータ２に印加し（ＳＴＥＰ４、ＳＴＥＰ５）、換気ファンモータ１が回転を始める（ＳＴＥＰ６）。
【００３５】
換気ファンモータ１が回転することで吸込口１７、１８、連通口２１から換気ユニット１１に吸い込まれた空気は、ダクト９、建物の壁体１０を通過し室外へ排出する。換気ファンモータ１が起動後、風量指示手段７により換気モードの設定風量（例えば図３のＡ１）の指示を行い（ＳＴＥＰ７）、制御手段３により風量一定制御を行う（ＳＴＥＰ８）。風量一定制御は、回転数検出手段４によるＤＣモータ２の回転数情報をもとに、室外への排気風量が設定風量であるＡ１に到達するまで、指示電圧Ｖを変動させるものである（ＳＴＥＰ９）。室外への排気風量＝設定風量となると、その時点の指示電圧Ｖ１を現在動作している設定風量の再起動電圧（例えば図３のＡ３）として記憶手段６に記憶する（ＳＴＥＰ１０）。外風圧等の排気圧損の変動により風量が変化し指示電圧Ｖが変動した場合は、再度室外への排気風量＝設定風量になった時点の指示電圧Ｖ１’を現在動作している設定風量の再起動電圧（例えば図３のＡ３）として記憶手段６にさらに記憶することになる。
【００３６】
そして、残時間タイマーＴｋががタイムアップするか（ＳＴＥＰ１１）、リモコンにて停止スイッチを押すと（ＳＴＥＰ１２）、換気ファンモータ１が停止する（ＳＴＥＰ１３）。換気ファンモータ１の停止後、再度リモコンにて前回運転した運転モードのスイッチを押すと（ＳＴＥＰ１４、ＳＴＥＰ２）、ＤＣモータ２に前回運転時に記憶手段６へ記憶した起動指示電圧（例えば図３のＡ３）を指示電圧Ｖ０として印加する（ＳＴＥＰ１５）。この制御により、各運転モードの設定風量が異なる場合でも、設定風量ごとに再起動電圧を記憶するため、どのような排気圧損の設置条件でも２度目の同運転モードでの再運転は換気ファンモータ１の起動時には、ほぼ設定風量の排気風量で運転できることになる。また、前記風量一定制御運転中（ＳＴＥＰ１０）に、リモコンから異なる運転モード（例えば換気弱モード）のスイッチを押した場合（ＳＴＥＰ１６）、ＤＣモータ２は換気弱モードの設定風量として再起動する。このとき換気弱モードが以前起動したことがあり、再起動電圧（例えばＢ３）を記憶手段６に記憶しているならば、再起動指示電圧Ｂ３を指示電圧Ｖ０として印加し（ＳＴＥＰ１５）、換気ファンモータ１の起動時にはほぼ設定風量の排気風量で運転できることになる。
【００３７】
このように、換気ファンモータ１の再起動時に風量指示手段７により指定した設定風量と同じ設定風量で前回運転したときに記憶手段６が記憶した指示電圧を換気ファンモータ１に通電するので、設定風量の小さい換気弱運転から設定風量の大きい換気強運転へ運転モードの切り替えを行った場合、運転切り替え後一時的に換気強運転よりも少ない排気風量で運転してしまったり、同様に設定風量の大きい換気強運転から設定風量の小さい換気弱運転へ運転モードの切り替えを行った場合、運転切り替え後一時的に換気弱運転よりも多い排気風量で運転してしまうような不具合はなくなることとなる。
【００３８】
（実施の形態３）
次に、本発明に従う浴室換気乾燥装置の実施の形態３について説明する。図５は実施の形態３における浴室換気乾燥装置の制御動作を示すフローチャートである。なお、実施の形態３の浴室換気乾燥装置の主要な構成要素は、図１に示すように実施の形態１と同様であり、制御動作を除く図１に示すものと同様な部分についてはその説明を省略する。
【００３９】
図５を用いて実施の形態３の浴室暖房乾燥装置における制御フローを説明する。浴室換気乾燥装置本体１２に電源投入後（ＳＴＥＰ１）、リモコンにて換気強モード５０、換気弱モード５１、乾燥モード５２、涼風モード５４、２４時間換気標準モード５５、または２４時間換気弱モード５６のいずれかのスイッチを押すと（ＳＴＥＰ２）、換気モータ動作残時間タイマーＴｋのカウントがスタートする（ＳＴＥＰ３）。リモコンにより指定した運転モードにはそれぞれ目標とする設定風量があり（例えば、図３のＡ１、Ｂ１、Ｃ１）、設定風量ごとに起動電圧を記憶している（例えば、図３のＡ２、Ｂ２、Ｃ２）。ここで、今回のスイッチのＯＮが再運転指令でない場合は、指定した運転モードの設定風量に基づき、起動電圧（例えば、図３のＡ２）を指示電圧Ｖ０としてＤＣモータ２に印加し（ＳＴＥＰ４、ＳＴＥＰ５）、換気ファンモータ１が回転を始める（ＳＴＥＰ６）。換気ファンモータ１が回転することで吸込口１７、１８、連通口２１から換気ユニット１１に吸い込まれた空気は、ダクト９、建物の壁体１０を通過し室外へ排出される。換気ファンモータ１の起動後、風量指示手段７により換気モードの設定風量（例えば図３のＡ１）の指示を行い（ＳＴＥＰ７）、制御手段３により風量一定制御を行う（ＳＴＥＰ８）。風量一定制御は、回転数検出手段４によるＤＣモータ２の回転数情報をもとに、室外への排気風量が設定風量であるＡ１に到達するまで、指示電圧Ｖを変動させる（ＳＴＥＰ９）。室外への排気風量＝設定風量となると、その時点の指示電圧Ｖ１からある一定電圧Ｚ（例えば、１Ｖ）を差し引いた電圧を現在動作している設定風量の再起動電圧（例えば、図３のＡ３）として記憶手段６にさらに記憶する（ＳＴＥＰ１０）。外風圧等の排気圧損の変動により風量が変化し指示電圧Ｖが変動した場合は、再度室外への排気風量＝設定風量になった時点の指示電圧Ｖ１からある一定電圧Ｚ（例えば、１Ｖ）を差し引いた電圧を現在動作している設定風量の再起動電圧（例えば、図３のＡ３）として記憶手段６にさらに記憶する。残時間タイマーＴｋががタイムアップするか（ＳＴＥＰ１１）、リモコンにて停止スイッチを押すと（ＳＴＥＰ１２）、換気ファンモータ１が停止する（ＳＴＥＰ１３）。換気ファンモータ１の停止後、再度リモコンにて前回運転した運転モードのスイッチを押すと（ＳＴＥＰ１４、ＳＴＥＰ２）、ＤＣモータ２に前回運転時に記憶手段６へ記憶した起動指示電圧（例えば、図３のＡ３）を指示電圧Ｖ０として印加する（ＳＴＥＰ１５）。
【００４０】
実施の形態１および２と異なり、実施の形態３は、ＳＴＥＰ１０にて排気風量＝設定風量となった時点の指示電圧Ｖ１からある一定電圧Ｚを差し引いた電圧を再起動時の指示電圧としている。ある一定電圧Ｚを風量約５ｍ3／ｈ相当の電圧（例えば、１Ｖ）としておけば、どのような排気圧損の設置条件でも２度目の同運転モードでの再運転は換気ファンモータ１の起動時に設定風量より５ｍ3／ｈ程度少ない排気風量で運転できることになる。
【００４１】
また、前記風量一定制御運転中（ＳＴＥＰ１０）に、リモコンから異なる運転モード、例えば換気弱モードのスイッチを押した場合（ＳＴＥＰ１６）、ＤＣモータ２は換気弱モードの設定風量として再起動する。このとき、換気弱モードが以前起動したことがあり、再起動電圧（例えばＢ３）を記憶手段６に記憶しているならば、再起動指示電圧Ｂ３を指示電圧Ｖ０として印加し（ＳＴＥＰ１５）、換気ファンモータ１の起動時に設定風量より５ｍ3／ｈ程度少ない排気風量で運転できることになる。
【００４２】
このように、換気ファンモータ１の再起動時に、前回運転したときに記憶手段６が記憶した指示電圧から所定の電圧値を差し引いた指示電圧を換気ファンモータ１に通電するので、再起動電圧を記憶時（例えば、図３のＡ３、Ｂ３、Ｃ３）、一時的に外風圧等が原因で指示電圧Ｖ１が大きく記憶された場合でも、換気ファンモータ１再起動時に一時的に騒音が大きくなり、使用者に不信感を与えることはない。
【産業上の利用可能性】
【００４３】
本発明は、風量一定制御機能を有する換気ファンモータを搭載した機器であれば、レンジフードや天井埋め込み型の換気扇、熱交換気ユニットの換気運転にも適用することができる。
【図面の簡単な説明】
【００４４】
【図１】本発明の実施形態１における浴室換気乾燥装置の全体構成を示す概略図
【図２】同浴室換気乾燥装置の制御動作を示すフローチャート
【図３】本発明の実施形態２における浴室換気乾燥装置の動作を表すブロック図
【図４】同浴室換気乾燥装置の制御動作を示すフローチャート
【図５】本発明の実施形態３における浴室換気乾燥装置の制御動作を示すフローチャート
【図６】従来の浴室換気乾燥装置の換気ユニット部を示す概略図
【符号の説明】
【００４５】
１    換気ファンモータ
３    制御手段
４    回転数検出手段
６    記憶手段
７    風量指示手段
８    吹出口
１０  壁体
１１  換気ユニット
１２  浴室換気乾燥装置本体
【図１】
2005140473.tif 000003
【図２】
2005140473.tif 000004
【図３】
2005140473.tif 000005
【図４】
2005140473.tif 000006
【図５】
2005140473.tif 000007
【図６】
2005140473.tif 000008